(57)【要約】【課題】従来の透明タッチパネルは、第１面状基板及と第２面状基板とを固持する両面粘着テープが絶縁効果を兼ねて電極や引き廻し回路を覆っており、両面粘着テープが厚く幅広く入力可能エリア部以外の周縁部が広かった。しかし携帯パソコンや携帯電話、携帯情報端末器等は小型化、ポケットサイズ化のため、入力可能エリア部以外の周縁部を小さくした透明タッチパネルが必要となった。【解決手段】第１面状基板及と第２面状基板とを固持する両面粘着テープが、電極や引き廻し回路を覆うことなく、両面粘着テープの内側に電極や引き廻し回路を並列に配し、両面粘着テープの厚みを薄く、幅を狭くした透明タッチパネル。【選択図】　図１
2004086530.tif 000002
【特許請求の範囲】
【請求項１】
それぞれ、表面に透明導電膜を有しその対向する２辺に電極を有するタッチ側の第１面状基板と非タッチ側の第２面状基板とを、透明導電膜が対向かつ電極方向が直交するように配し、両面粘着テープで基板間周囲の略全体を固持した矩形の透明タッチパネルにおいて、
前記透明タッチパネルの４辺の少なくとも１辺の前記電極及び／又は電極からの引き廻し回路を、前記両面粘着テープの内側に配し、
前記電極及び／又は電極からの引き廻し回路の厚みが、前記両面粘着テープの厚みより小さいことを特徴とする透明タッチパネル。
【請求項２】
前記第１面状基板と前記第２面状基板の電極及び／又は電極からの引き廻し回路が重なるとき、前記第１面状基板と前記第２面状基板の電極及び／又は電極からの引き廻し回路の厚みの和が、前記両面粘着テープ厚みより小さいことを特徴とする請求項１に記載の透明タッチパネル。
【請求項３】
前記第１面状基板と前記第２面状基板の電極及び／又は電極からの引き廻し回路は、導電剤と該導電剤を覆う絶縁剤からなることを特徴とする請求項１〜２のいずれかに記載の透明タッチパネル。
【請求項４】
前記両面粘着テープ厚みは２０μｍ〜６０μｍであることを特徴とする請求項１〜３のいずれかに記載の透明タッチパネル。
【請求項５】
前記第１面状基板の１辺の前記両面粘着テープ幅が０．２ｍｍ〜０．６ｍｍであることを特徴とする請求項１〜４のいずれかに記載の透明タッチパネル。
【発明の詳細な説明】
【０００１】
【発明の属する技術分野】
本発明は携帯パソコンや携帯電話、携帯情報端末器等に用いられる抵抗膜式の透明タッチパネルに関し、更には透明タッチパネルの入力可能エリアを広げる技術に関する。
【０００２】
【従来の技術】
透明タッチパネルは、デジタル型とアナログ型に大別できるが、文字入力対応が可能なアナログ型が主流になりつつある。アナログ型透明タッチパネルは、それぞれ、表面に透明導電膜を有し、その対向する両端に電極を有するタッチ側の第１面状基板と非タッチ側の第２面状基板とを、透明導電膜が対向かつ電極方向が直交するするように配し積層されている。そして第１面状基板と第２面状基板とを両面粘着テープで基板間の周囲を固持している。
【０００３】
図３は従来の透明タッチパネルの一例の分解図である。図３に示すように透明タッチパネルは、第１面状基板１１０と第２面状基板１３０を、両面粘着テープからなるスペーサ１４０を介して積層することにより構成される。両面粘着テープ厚みは、電極を覆うため通常１００μｍくらいである。第１面状基板１１０は、透明タッチパネルにおいて操作者からの指や入力ペンを用いた入力を受け付ける。また１２０は、内部の電極と接続されるコネクタ部である。
【０００４】
スペーサ１４０は、コネクタ部１２０を装着する部分と、これと反対側のコーナの切除部１４１を除いて連続したフレーム状に形成されており、第１面状基板１１０と第２面状基板１３０がその周縁部において貼着される。なお、切除部１４１では、スペーサ部材が介在しないため、第１面状基板１１０と第２面状基板１３０間に隙間ができることになるが、これは内部の空気抜き穴として作用するものである。空気抜き穴を必要としない場合は切除部１４１を設けなくてよい。
【０００５】
スペーサ１４０より内側の第１面状基板１１０と第２面状基板１３０の隙間には、ドット状スペーサ１６０が、所定の間隔をおいて設けられており、第１面状基板１１０のうち、第２面状基板１３０に対向する側の主表面には、透明導電膜１１１が、略全面に形成されている。また、透明導電膜１１１の対向する２側辺には電極１１２が設けられている。そして、前記主表面の残余の領域であってコネクタ部１２０と対向する部位には、コネクタ部１２０側の一対の接続電極１２２、１２２と接続するための一対の電極端部１１４、１１４が形成され、この電極端部１１４、１１４と前記抵抗膜１１１の２側辺に設けられた電極１１２、１１２との間が引き廻し回路１１３，１１３で接続されている。
【０００６】
第２面状基板１３０は、第１面状基板１１０に対向する側の主表面には、同じく透明導電膜１３１が略全面に設けられている。透明導電膜１３１の対向する２側辺であって、前記第１面状基板１１０の透明導電膜１１１に形成された電極１１２，１１２の対向方向と直交する方向の側辺には、電極１３２、１３２が形成されている。そして、前記主表面の残余の領域には、第１面状基板１１０と同様、コネクタ部１２０側の一対の接続電極１２３、１２３と接続する一対の電極端部１３４、１３４が形成され、この電極端部１３４、１３４と前記透明導電膜１３１の２側辺に設けられた電極１３２、１３２とを接続する引き廻し回路１３３，１３３が形成されている。
【０００７】
コネクタ部１２０は、第１、第２面状基板１１０，１３０の電極端部１１４、１１４、１３４、１３４と接続される接続電極１２２、１２２、１２３、１２３を上下表面に露出形成されている。透明タッチパネルを組み立てた状態においては、第１面状基板接続電極１２２、１２２は第１面状基板電極端部１１４、１１４と、第２面状基板接続電極１２３、１２３は第２面状基板電極端部１３４、１３４と、それぞれ熱圧着等により接続されている。
【０００８】
また特開平１１−９５９２５には引き廻し回路が片方の基板にまとめて設けられ、バスバー（電極）や引き廻し回路を覆うように両面粘着テープが設けられた透明タッチパネルの従来の実施例の一例が示されている。
【０００９】
また特開平１０−３１２２４４には引き廻し回路が片方の基板にまとめて設けられた透明タッチパネルも、引き廻し回路がそれぞれの基板に設けられた透明タッチパネルも示されているが、電極や引き廻し回路を覆うように両面粘着テープが設けられている。両面粘着テープは粘着剤で基板を固持するとともに、絶縁効果を発揮するため銀インクを覆っているが、そのため両面粘着テープは幅広く、厚くなっていた。
【００１０】
従来の透明タッチパネルで、両面粘着テープが幅広であることは、入力可能エリア部以外の周縁部を広いものとしていた。また両面粘着テープが厚いことは、図４のように、両面粘着テープ３０直近の第１面状基板１０を、入力用ペン４０で入力すると、第１面状基板１０は大きな変形を生じた。この大きな変形が、両面粘着テープ３０直近の第１面状基板１０を幾度もペンで摺動すると第１面状基板１０の透明導電膜はダメージを受け抵抗値が変化し、入力動作エリアとしては使えないものとなった。
【００１１】
つまり従来の透明タッチパネルは、両面粘着テープ３０が銀電極１１を覆って配置しているため、両面粘着テープ３０を狭幅にすることが困難であったし、両面粘着テープ３０直近での第１面状基板１０の摺動耐久性を十分確保することが困難であったため、透明タッチパネルの入力可能エリア部以外の周縁部を小さく出来なかった。
【００１２】
【発明が解決しようとする課題】
しかし透明タッチパネルの小型化要望は強く、特に携帯情報機器においては、１辺でも、例え僅かでも透明タッチパネルの入力可能エリア部以外の周縁部を小さくした透明タッチパネルの要求が高まり、対策が必要となった。そこで本発明の課題は、携帯パソコンや携帯電話、携帯情報端末器等の小型化、ポケットサイズ化のため、入力可能エリア部以外の周縁部を小さくした透明タッチパネルを提供することにある。
【００１３】
【課題を解決するための手段】
請求項１の発明による透明タッチパネルは、それぞれ、表面に透明導電膜を有しその対向する２辺に電極を有するタッチ側の第１面状基板と非タッチ側の第２面状基板とを、透明導電膜が対向かつ電極方向が直交するように配し、両面粘着テープで基板間周囲の略全体を固持した矩形の透明タッチパネルにおいて、前記透明タッチパネルの４辺の少なくとも１辺の前記電極及び／又は電極からの引き廻し回路を、前記両面粘着テープの内側に配し、前記電極及び／又は電極からの引き廻し回路の厚みが、前記両面粘着テープの厚みより小さいことを特徴としている。
【００１４】
請求項２の発明による透明タッチパネルは、請求項１の発明の構成において、前記第１面状基板と前記第２面状基板の電極及び／又は電極からの引き廻し回路が重なるとき、前記第１面状基板と前記第２面状基板の電極及び／又は電極からの引き廻し回路の厚みの和が、前記両面粘着テープ厚みより小さいことを特徴としている。
【００１５】
請求項３の発明による透明タッチパネルは、請求項１〜２のいずれかの発明の構成において、前記第１面状基板と前記第２面状基板の電極及び／又は電極からの引き廻し回路は、導電剤と該導電剤を覆う絶縁剤からなることを特徴としている。
【００１６】
請求項４の発明による透明タッチパネルは、請求項１〜３のいずれかの発明の構成において、前記両面粘着テープ厚みは２０μｍ〜６０μｍであることを特徴としている。
【００１７】
請求項５の発明による透明タッチパネルは、請求項１〜４のいずれかの発明の構成において、前記第１面状基板の１辺の前記両面粘着テープ幅が０．２ｍｍ〜０．６ｍｍであることを特徴としている。
【００１８】
【発明の実施の形態】
本発明の実施の形態を以下に述べる。まず、この発明において使用する面状基板としては、透明性を有するガラスやポリエチレンテレフタレート（ＰＥＴ）、ポリエーテルサルフォン（ＰＥＳ）、ポリエーテルエーテルケトン（ＰＥＥＫ）、ポリカーボネイト（ＰＣ）、ポリプロピレン（ＰＰ）、ポリアミド（ＰＡ）、ポリアクリル（ＰＡＣ）、ノルボルネン系の熱可塑性透明樹脂などプラスチックフィルム、またはそれらの積層体などが用いられる。タッチ側の第１面状基板としては通例２０〜５００μｍの厚みプラスチックフィルム基材、非タッチ側の第２面状基板としては通例５００〜２０００μｍの厚みのガラス基材やプラスチックフィルム基材に支持体を貼り合わせたものを用いる場合が多い。
【００１９】
次に透明導電膜の形成方法であるが、フィルムやガラス基材上に透明導電膜を形成する一般的な方式としてはスパッタ法、真空蒸着法、イオンプレーティング法等のＰＶＤ法、あるいはＣＶＤ法、塗工法、印刷法等がある。なお透明導電膜の形成材としては特に制限されるものではなく、例えば、インジュウム・スズ複合酸化物（ＩＴＯ）、スズ酸化物、銅、アルミニウム、ニッケル、クロムなどがあげられ、異なる形成材が重ねて形成されてもよい。また透明導電膜を形成する前に、透明性や密着性等を向上させるためのアンダーコート層を設けてもよい。
【００２０】
次に透明導電膜のパターニングであるが、一般的には、透明導電性フィルムの導電膜面を所望のパターン状マスクを形成し、しかる後に酸液でエッチングし不必要な部分の導電膜のみを剥離し、その後、アルカリ液等の剥離剤により該パターン状マスクを溶解等により除去する。
【００２１】
次に電極であるが透明導電膜の両端に、導電性インクで形成する。導電性インクとしては銀やカーボンインク、銅インク等の導電性のある印刷可能なペーストが使われ、銀とカーボンを混合したり重ね塗りしてもよい。電極幅は０．２ｍｍ〜数ｍｍ、厚みは数μｍ〜数十μｍが一般的である。その後、絶縁性の確保やマイグレーション対策として、絶縁インクを透明導電膜や電極の必要部に塗布してもよい。絶縁インクはアクリル樹脂、ウレタン樹脂、エポキシ樹脂、シリコン樹脂等が用いられる。引き廻し回路も通常同時に形成される。
【００２２】
支持体はポリカーボネイト、アクリル樹脂基板、ポリオレフィン系樹脂基板が多く、ガラスも用いることが出来る。支持体の厚みとしては、通例０．５〜５ｍｍのものが用いられ、形状としてはフラットなものが多く、中央が凸なものもある。
【００２３】
第１面状基板と第２面状基板との貼り合せは、粘着材や両面粘着テープを用いて略周辺部のみを貼り合せる。両面粘着テープは芯材フィルムをはさんで上下面に粘着剤塗布したもので、芯材としてはポリエチレンテレフタレート（ＰＥＴ）、ポリエチレン（ＰＥ）、ポリプロピレン（ＰＰ）、ポリエーテルサルフォン（ＰＥＳ）等プラスチックフィルムが用いられる。粘着剤としてはアクリル系、シリコン系、ウレタン系、それらの混合系のものが用いられる。
【００２４】
また、支持体と第２面状基板の貼り合せは、周辺部貼りよりも、視認性の観点から全面貼りを行なう方が好ましい。
【００２５】
次に本発明の実施形態を以下に述べる。各図面は構成が分かり易いように描いたため、実寸比でなく、部分的に拡大または縮小されている。両面粘着テープは、リンテック社のアクリル樹脂タイプのものを用いた。
【００２６】
図３における第１面状基板のコネクタと反対側の電極を、図１、図２の様にして透明タッチパネルを作った。同電極辺に関し、従来は図３のように両面粘着テープが電極１１２を覆っていたが、図１では両面粘着テープ３０の内側に銀インクからなる電極１１があり、図２では両面粘着テープ３０の内側に銀インクからなる電極１１と絶縁インク１２がある構造である。図１、図２では両面粘着テープと電極１１は重なりを持たない構造である。図１、図２で第１面状基板１０及び第２面状基板２０の透明導電膜は略している。
【００２７】
（実施例１）図１において、第１面状基板は厚さ１８８μｍのＰＥＴに、導電面は表面抵抗３５０Ω／□のＩＴＯ膜、反対面はハードコート加工を施している。第２面状基板は０．５ｍｍのガラス、導電面は表面抵抗５００Ω／□のＩＴＯ膜を施している。共にパターニングをし、電極と引き廻し回路を銀インクで形成した。
【００２８】
第２面状基板エッジから０．３ｍｍのところに幅０．６ｍｍの両面粘着テープを、０．２ｍｍの間隔をあけて第１面状基板に幅０．３ｍｍの電極となるよう透明タッチパネルを作製した。両面粘着テープは厚み６０μｍ、電極厚みは１０μｍであった。
【００２９】
作製した透明タッチパネルを、通常の入力ペン（ポリアセタール製、ペン先Ｒ＝０．８ｍｍ）で荷重２．４５Ｎを加え、毎秒３往復の速度で摺動試験をした。透明タッチパネルをモニターに接続しペン入力すると、摺動試験前は直線が表示されるが、摺動試験で透明タッチパネルが劣化してくると直線が歪んでくる。この歪長を、歪みと同じ方向の透明タッチパネルの長さで除した値を直線性劣化値とした。
【００３０】
結果、第２面状基板エッジから２．４ｍｍのところ、つまり両面粘着テープから１．５ｍｍのところでは１万回摺動で直線性劣化値１．５％以内で良好であった。
【００３１】
（実施例２）図２において、実施例１と同じ基材を用い、共にパターニングをし、電極と引き廻し回路を銀インクで形成し、さらにアクリル系の絶縁インクで銀インクを覆った。第２面状基板エッジから０．３ｍｍのところに幅０．６ｍｍの両面粘着テープを、０．２ｍｍ間隔をあけて第１面状基板に幅０．３ｍｍの銀インク電極となるよう透明タッチパネルを作製した。両面粘着テープは厚み６０μｍ、絶縁インクで覆った電極厚みは２０μｍであった。作製した透明タッチパネルを、実施例１と同様に摺動試験をした。結果、第２面状基板エッジから２．４ｍｍのところ、つまり両面粘着テープから１．５ｍｍのところでは１万回摺動で直線性劣化値１．５％以内で良好であった。
【００３２】
（実施例３）両面粘着テープの厚みのみ３０μｍとし、他は実施例１と同じにして透明タッチパネルを作製した。作製した透明タッチパネルを、実施例１と同様に摺動試験をした。結果は、実施例１と同様良好であった。
【００３３】
（実施例４）第１面状基板を１８８μｍのノルボルネン系のＪＳＲ社製アートンフィルム（「アートン」は同社の登録商標）とし、他は実施例２と同じにして透明タッチパネルを作製した。作製した透明タッチパネルを、実施例２と同様に摺動試験をした。結果は、実施例２と同様良好であった。
【００３４】
（実施例５）両面粘着テープの幅以外実施例３と同じにして透明タッチパネルを作った。第２面状基板エッジから０．３ｍｍのところに幅０．２ｍｍの両面粘着テープを、０．２ｍｍの間隔をあけて第１面状基板に幅０．３ｍｍの電極となるよう透明タッチパネルを作製した。作製した透明タッチパネルを、実施例１と同様に摺動試験をした。結果、第２面状基板エッジから２．０ｍｍのところ、つまり両面粘着テープから１．５ｍｍのところでは１万回摺動で直線性劣化値１．５％以内で良好であった。
【００３５】
（実施例６）図２において、実施例５と同じ基材を用い、共にパターニングをし、電極と引き廻し回路を銀インクで形成し、さらにアクリル系の絶縁インクで銀インクを覆った。第２面状基板エッジから０．３ｍｍのところに幅０．２ｍｍの両面粘着テープを、０．２ｍｍの間隔をあけて第１面状基板に幅０．３ｍｍの銀インク電極となるよう透明タッチパネルを作製した。作製した透明タッチパネルを、実施例１と同様に摺動試験をした。結果、第２面状基板エッジから２．０ｍｍのところ、つまり両面粘着テープから１．５ｍｍのところでは１万回摺動で直線性劣化値１．５％以内で良好であった。
【００３６】
（比較例１）両面粘着テープの厚みのみ１００μｍとし、他は実施例２と同じにして透明タッチパネルを作製した。作製した透明タッチパネルを、実施例１と同様に摺動試験をした。結果、第２面状基板エッジから３．４ｍｍのところ、つまり両面粘着テープから２．５ｍｍのところでは１万回摺動で直線性劣化値１．５％以内で良好であったが、両面粘着テープから２．０ｍｍのところでは５千回摺動で直線性劣化値は２０％を越え、両面粘着テープから１．５ｍｍのところでは１００回摺動で直線性劣化値は２０％を越えた。
【００３７】
（比較例２）両面粘着テープの厚みのみ２５μｍとし、他は実施例２と同じにして透明タッチパネルを作製した。作製した透明タッチパネルを、実施例１と同様に摺動試験をした。結果、第２面状基板エッジから２．４ｍｍのところ、つまり両面粘着テープから１．５ｍｍのところでは１万回摺動で直線性劣化値１．５％以内で良好であったがニュートンリングが一部発生した。
【００３８】
【発明の効果】
本発明は、以上説明したような形態で実施され、ノートパソコンや携帯電話、携帯情報端末器等に用いられる透明タッチパネルの、入力可能エリア部以外の周縁部を小さくする効果がある。
【図面の簡単な説明】
【図１】本発明の第１の実施形態。
【図２】本発明の第２の実施形態。
【図３】従来の透明タッチパネルの説明図。
【図４】従来の透明タッチパネルの、両面粘着テープ直近ペン入力の説明図。
【符号の説明】
１０　第１面状基板
１１　銀インクからなる電極
１２　絶縁インク
２０　第２面状基板
２１　ドット状スペーサ
３０　両面粘着テープからなるスペーサ
４０　入力用ペン
１００　透明タッチパネル
１１０　第１面状基板
１１１、１３１　透明導電膜
１１２、１３２　電極
１１３、１３３　引き廻し回路
１２０　コネクタ部
１３０　第２面状基板
１４０　両面粘着テープからなるスペーサ
１６０　ドット状スペーサ
【図１】
2004086530.tif 000003
【図２】
2004086530.tif 000004
【図３】
2004086530.tif 000005
【図４】
2004086530.tif 000006